(57)【要約】【課題】  簡易なリールロック機構を有し、磁気テープ内蔵型の磁気記録再生装置に好適な磁気テープカートリッジを提供する。【解決手段】  磁気テープＴを磁気ヘッドに対して走行させて磁気記録再生を行う磁気記録再生装置に内蔵される磁気テープカートリッジであって、ケース本体と、磁気テープを巻装してケース本体内に回転可能に収容されるリールと、ケース本体とリールとを係合せしめる係合部とを備え、係合部がケース本体に抜き取り可能に挿通され、且つ、リールの一部に当接する係合ピン、または、係合部がリールから突出するように一体成形された係合突起で、係合突起がケース本体に係合し、且つ、使用時にはリールとケース本体との係合を解除するように変形又は破断可能である。【選択図】  図１
2005158109.tif 000002
【特許請求の範囲】
【請求項１】
磁気テープを磁気ヘッドに対して走行させて磁気記録再生を行う磁気記録再生装置に内蔵される磁気テープカートリッジであって、
ケース本体と、前記磁気テープを巻装して前記ケース本体内に回転可能に収容されるリールと、前記ケース本体と前記リールとを係合せしめる係合部とを備え、
前記係合部が前記ケース本体に抜き取り可能に挿通され、且つ、前記リールの一部に当接する係合ピンであることを特徴とする磁気テープカートリッジ。
【請求項２】
磁気テープを磁気ヘッドに対して走行させて磁気記録再生を行う磁気記録再生装置に内蔵される磁気テープカートリッジであって、
ケース本体と、前記磁気テープを巻装して前記ケース本体内に回転可能に収容されるリールと、前記ケース本体と前記リールとを係合せしめる係合部とを備え、
前記係合部が前記リールから突出するように一体成形された係合突起で、前記係合突起が前記ケース本体に係合し、且つ、前記リールと前記ケース本体との係合を解除するように変形又は破断可能であることを特徴とする磁気テープカートリッジ。
【発明の詳細な説明】
【技術分野】
【０００１】
本発明は、磁気テープ内蔵型の磁気記録再生装置に内蔵される磁気テープカートリッジに関し、特に、磁気テープを巻装した単一のリールがカートリッジ内に回転可能に収容され、リールをロックするリールロック機構の改良に関する。
【背景技術】
【０００２】
一般に、コンピュータ等のバックアップ用の外部記録媒体として、磁気テープを巻装した単一のリールが収納された磁気テープカートリッジがある。このような磁気テープカートリッジを使用する際には、磁気テープカートリッジが磁気記録再生装置に装填され、該磁気記録再生装置のローディング機構によって引出口から磁気テープの端部が引き出され、磁気テープが磁気記録再生装置内の磁気テープ搬送機構を介してマシンリールに巻き取られることで走行する。
【０００３】
従来、上記磁気テープカートリッジは、使用時に磁気記録再生装置に装填して磁気記録／再生を行い、使用後は磁気記録再生装置から取り出して保管するといった使用形態であった。このため、従来の磁気テープカートリッジは、磁気記録再生装置において使用するとき以外に、磁気テープを巻装するリールが回動して磁気テープがゆるんだり回転軸方向に振れたりすることに起因して巻装された磁気テープの巻姿が乱れることを防止できるようにするため、リールをロックするロック機構が備えられている（例えば、特許文献１など）。
【０００４】
【特許文献１】特開平１１−２３８３５２号公報
【発明の開示】
【発明が解決しようとする課題】
【０００５】
ところで、近年、磁気テープカートリッジを内蔵した磁気テープ内蔵型の磁気記録再生装置が開発されている。このような磁気記録再生装置に内蔵される磁気カートリッジテープは、磁気記録再生装置の製造時に一旦備え付けられた後は該磁気記録再生装置に出し入れされる作業が行われない。このため、磁気テープの製造業者から磁気記録再生装置の製造業者までの間で搬送や保管するときにのみ、上記リールをロックできる構成であれば十分であり、従来のリールロック機構について改善の余地があった。
本発明は、このような事情に鑑みてなされたもので、その目的は、簡易なリールロック機構を有し、磁気テープ内蔵型の磁気記録再生装置に好適な磁気テープカートリッジを提供することにある。
【課題を解決するための手段】
【０００６】
本発明の上記目的は、磁気テープを磁気ヘッドに対して走行させて磁気記録再生を行う磁気記録再生装置に内蔵される磁気テープカートリッジであって、ケース本体と、前記磁気テープを巻装して前記ケース本体内に回転可能に収容されるリールと、前記ケース本体と前記リールとを係合せしめる係合部とを備え、前記係合部が前記ケース本体に取り外し可能に挿通され、且つ、前記リールの一部に当接する係合ピンであることを特徴とする磁気テープカートリッジによって達成される。
【０００７】
本発明にかかる磁気テープカートリッジは、係合ピンを備え、この係合ピンをリールに係合するようにケース本体に取り付けることで、ケース本体内でリールが移動することを防止できる構成である。そして、磁気テープカートリッジの搬送時や保管時などの磁気記録再生装置に内蔵する前において、係合ピンをケース本体に取り付けてリールに係合させておくことで、リールがケース本体内で移動することに起因して磁気テープの巻姿が乱れてしまうことを防止できる。一方、磁気記録再生装置に内蔵するような使用時には、係合ピンをケース本体から取り外すことでリールの係合が外れ、リールを磁気記録再生装置の駆動機構で回転駆動させることでマシンリールに磁気テープを巻き取ることが可能となる。
このため、磁気テープカートリッジは磁気テープ内蔵型の磁気記録再生装置に内蔵されるものであるため、繰り返し磁気記録再製装置に装填されたり、同装置から取り出されたりといった作業が行われない。つまり、磁気記録再生装置の製造時において取り付ける際に一端リールロックを解除できる構成であればよく、従来の磁気テープカートリッジのように磁気記録再生装置から取り出す毎にリールをロックするといったリールロック機構を設ける必要がない。本発明にかかる磁気テープカートリッジは、リールをロックするために、取り外し可能な係合ピンを設けるといった簡単なリールロック機構である。
【０００８】
また、本発明の上記目的は、磁気テープを磁気ヘッドに対して走行させて磁気記録再生を行う磁気記録再生装置に内蔵される磁気テープカートリッジであって、ケース本体と、前記磁気テープを巻装して前記ケース本体内に回転可能に収容されるリールと、前記ケース本体と前記リールとを係合せしめる係合部とを備え、前記係合部が前記リールから突出するように一体成形された係合突起で、前記係合突起が前記ケース本体に係合し、且つ、使用時には前記リールと前記ケース本体との係合を解除するように変形又は破断可能であることを特徴とする磁気テープカートリッジによって達成される。
【０００９】
こうすれば、磁気テープカートリッジの搬送時や保管時には係合部によってリールをケース本体に係合させた状態とし、ケース本体内におけるリールの移動を防止することで磁気テープの巻姿の乱れを防止できる。一方、磁気記録再生装置に内蔵する場合などの使用時には、作業者が係合突起を変形又は破断させてリールとケース本体との係合を解除し、リールを回動可能とすることでマシンリールによる磁気テープの巻き取りが可能となる。
本発明にかかる磁気テープカートリッジは、リールをロックするために、変形または破断可能な係合突起をリールに設けるといった簡単なリールロック機構である。
また、係合突起は、リールに一体成形されているため、係合部として別の部材を取り付ける必要がないため、磁気テープカートリッジの製造が容易である。
【発明の効果】
【００１０】
本発明によれば、簡易なリールロック機構を有し、磁気テープ内蔵型の磁気記録再生装置に好適な磁気テープカートリッジを提供できる。
【発明を実施するための最良の形態】
【００１１】
以下、本発明の実施形態を図面に基づいて詳しく説明する。
（第１の実施形態）
図１は、本発明にかかる磁気テープカートリッジの第１の実施形態を示す全体斜視図である。図１に示すように、磁気テープカートリッジ１０は、上ケース１２と下ケース１３とがネジ等により締結されてなるケース本体１１を備えている。ここで、磁気テープカートリッジ１０は、磁気テープＴを図示しない磁気ヘッドに対して走行させて磁気記録再生を行う磁気記録再生装置に内蔵されて用いられるものである。
【００１２】
ケース本体１１の内部には、単一のカートリッジ側リール（リール）１４が回動可能に収容される。リール１４には磁気テープＴが巻装されている。磁気テープＴの先端には、終端にリーダピン１６が固着されたリーダーテープＴａが延長接合される。
【００１３】
上ケース１２と下ケース１３はそれぞれ、略正方形の底面と、該底面の４辺に立設壁とを有している。これら上ケース１２及び下ケース１３を重ね合わせることで、ケース本体１１において重ね合う立設壁から成る４つ側壁が形成される。また、ケース本体１１において、側壁の１つに磁気テープ５を引き出すための開口部１８が形成されている。開口部１８にはスライドドア１５が取り付けられ、該スライドドア１５が図示しない弾性手段で閉方向に付勢されることで開口部１８を開閉する。
【００１４】
図２は、図１の矢印Ａ方向に見た磁気テープカートリッジの断面図である。図２に示すように、リール１４は、上フランジ１４ａと、下フランジ１４ｂと、該下フランジ１４ｂに一体成形された円筒状のハブ１４ｈとを備え、円筒状のハブ１４ｈの端部（図２において上端）を上フランジ１４ａの中央部に嵌合させることで構成されている。上フランジ１４ａと下フランジ１４ｂとの間において、磁気テープＴが上記ハブ１４ｈの外周面に巻き回されることで収容保持されている。
【００１５】
磁気テープカートリッジ１０は、弾性部材（本実施形態においてはコイルばね）Ｓによって、リール１４をケース本体１１の下ケース１３の内側面（図２において上面）側に付勢するホルダ１９を備えている。
【００１６】
ここで、ホルダ１９は、大略的には、円板部１９ａと、該円板部１９ａより立設された円筒部１９ｂと、該円筒部１９ｂの周囲に立設されたばね支持片１９ｃとを備えている。
【００１７】
また、ケース本体１１における上ケース１２の内側面には、突設された円筒リブ１２ａと、該円筒リブ１２ａの周囲に立設されたばね受け片１２ｂとが設けられている。
【００１８】
円筒リブ１２ａの外周面にはホルダ１９の円筒部１９ｂが取り付けられる。また、円筒部１９ｂの外周にはコイルばねＳが嵌め込まれる。コイルばねＳは、一端が円筒部１９ｂとばね支持片１９ｃとの間で支持されるとともに他端が上ケース１２のばね受け片１２ｂの側面に嵌め込まれる。
【００１９】
リール１４のハブ１４ｈの内方にはコイルばねＳの伸縮によって進退するホルダ１９を収容するホルダ収容部１４ｅが形成され、ホルダ収容部１４ｅの底面１４ｆの中央部にはホルダ１９の下方端面に当接するように突出したピボット部１４ｃが設けられている。
【００２０】
下ケース１３には、磁気記録再生装置に磁気テープカートリッジ１０を装填した際にリール１４を図２中上方に押し上げるとともに該リール１４を回転駆動させるリール駆動部１が挿入されるリール駆動口１３ａが設けられている。
【００２１】
ここで、磁気記録再生装置におけるリール駆動部１は、上面に係合歯３が形成され、且つ、下面に駆動軸２が設けられている。リール駆動部１は、駆動軸２の、図２中両矢印の方向における駆動によってリール駆動口１３ａに対して進退する構成である。また、図示しないが、下フランジ１４ｂの、リール駆動口１３ａから外部に露呈する面には、リール駆動口１３ａから挿入されたリール駆動部１の係合歯３に係合する歯が形成され、この歯と係合歯３との係合によってリール駆動部１の回転駆動をリール１４に伝達する。
【００２２】
また、下ケース１３には、突部１４ｄが設けられている。磁気記録再生装置に磁気テープカートリッジ１０を装填した状態で、コイルばねＳによってリール１３がケース本体１１の下ケース１３に押し付けられるとともに該突部１４ｄがリール駆動口１３ａの側面に係合し、リール１４ががたつくことが防止できる構成である。
【００２３】
本実施形態の磁気テープカートリッジ１０には、ケース本体１１の上ケース１２に挿通孔１２ｃが設けられ、挿通孔１２ｃに抜き取り可能な状態で係合ピン１７が嵌挿されている。係合ピン１７は、長尺形状を有し、長手方向の一端に使用者が把持できるように大径部が形成され、長手方向の他端から上記挿通孔１２ｃに図２の上方から下方へ挿通され、その先端部でリール１４の上フランジ１４ａにおける上面に所定の圧力で当接した状態で挿通孔１２ｃに保持されるように構成されている。
【００２４】
挿通孔１２ｃに係合ピン１７を挿通した状態において、リール１４は回転軸方向の変位だけでなく、周方向に回動しないように規制される。そして、係合ピン１７を挿通孔１２ｃから抜き取った状態では、上フランジ１４ａの上面にかかる負荷がなくなるため、リール１４の回転が許容される構成である。
【００２５】
次に、本実施形態の磁気テープカートリッジのリールロック機構について図１及び図２を参照して説明する。
磁気テープカートリッジ１０の搬送時や保管時などの磁気記録再生装置に内蔵する前においては、リール１４がロックされている状態（リールロック状態）となる。このとき、リール１４は、コイルばねＳによってケース本体１１の下ケース１３の上面に付勢されて当接している。また、下フランジ１４ｂの突部１４ｄがリール駆動口１３ａ内に挿入され、リール１４がケース本体１１内でがたつくことが防止される。さらに、係合ピン１７が挿通孔１２ｃに挿入されており、該係合ピンがリール１４の上フランジ１４ａに所定の負荷を加えているため、リール１４の回転が規制されている。このように、リールロック状態では、リール１４がケース本体１１内で、回転軸方向に移動することが防止され、また、係合ピン１７によって回動することが防止されるため、磁気テープＴの巻き緩みが生じて巻姿が乱れることを回避することができる。
【００２６】
磁気テープカートリッジ１０を磁気記録再生装置に内蔵する場合には、係合ピン１７をケース本体１１の挿通孔１２ｃから抜き取ることでリール１４の上フランジ１４ａ上面にかかっていた負荷がなくなる。そして、磁気記録再生装置に内蔵した状態において、下ケース１３のリール駆動口１３ａからリール駆動部１が挿入され、該リール駆動部１によってリール１４が上方に持ち上げられる。このとき、リール１４の下フランジ１４ｂにおける下面が下ケース１３の上面から離間し、リール駆動口１３ａに係合していた突部１４ｄが解除される。また、リール１４は、リール駆動部１によって上方に持ち上げられ、ピボット部１４ｃにおいてホルダ１９と点接触した状態となる。そして、リール１４は、リール駆動部１の回転駆動に応じて、ピボット部１４ｃでホルダ１９と摺接しつつ回動可能となる。
【００２７】
したがって、本実施形態の磁気テープカートリッジ１０は、磁気テープ内蔵型の磁気記録再生装置に内蔵される磁気テープカートリッジに用いられるため、磁気記録再生装置から取り出すたびにリールをロックするといった従来のリールロック機構を設ける必要がなく、取り外し可能な係合ピンを設けるといった簡単なリールロック機構とすることができる。
【００２８】
（第２の実施形態）
図３及び図４に、本発明にかかる第２の実施形態を示す。なお、以下の各実施形態において、すでに説明した部材などと同等な構成・作用を有する部材等については、図中に同一符号又は相当符号を付すことにより、説明を簡略化或いは省略する。図３は、本実施形態の磁気テープカートリッジを示す全体斜視図である。図４は、図３の矢印Ｂ方向に見た磁気テープカートリッジの断面図である。
本実施形態の磁気テープカートリッジ２０において、側壁の１つに挿通孔２２ｃが設けられ、この挿通孔２２ｃに係合ピン２７が抜き取り可能に嵌挿されている。このように、磁気テープカートリッジ２０は、係合ピン２７を挿通孔２２ｃに取り付けた状態で、係合ピン２７の先端がリール２４の上フランジ２４ａにおける下面周縁部に当接するように構成されている。
【００２９】
つまり、磁気テープカートリッジ２０は、リールロック状態において、リール２４がケース本体２１内でコイルばねＳによって下方に付勢されるとともに、上フランジ２４ａに係合した係合ピン２７により上方に支持されている。言い換えると、リール２４は、コイルばねＳと係合ピン２７とによって上下方向に挟み込まれているため、回転軸方向の移動が規制されるだけでなく、周方向の回転も規制されることとなる。
【００３０】
また、本実施形態の係合ピン２７は、ケース本体２２の挿通孔２２ｃに挿通されているといった簡単な構成である。このため、磁気テープカートリッジ２０を磁気記録再生装置に内蔵する際に使用者が図４中矢印Ｐ２方向に抜き取れば、容易にリール２４のロックを解除することができる。
【００３１】
したがって、本実施形態の構成を有する磁気テープカートリッジ２０によれば、上記第１の実施形態の磁気テープカートリッジ１０と同様の効果を得ることができる。
【００３２】
（第３の実施形態）
次に、本発明にかかる磁気テープカートリッジの第３の実施形態を説明する。図５は、本実施形態の磁気テープカートリッジの要部断面図を示している。
図５に示すように、磁気テープカートリッジ３０は、リール３４の上フランジ３４ａの上面から突出するように設けられた係合突起３８を備えている。
【００３３】
係合突起３８は、上フランジ３４ａに一体成形されている。また、係合突起３８は、外部応力を負荷することで上フランジ３４ａ側近傍において、折れ曲がる等の変形又は破断するように構成されている。ここで、係合突起３８における、上フランジ３４ａ側近傍を薄肉にすることで、より小さい外部応力によって変形又は破断するように構成してもよい。
【００３４】
ケース本体３１の上ケース３２内側において、上フランジ３４ａと対向する面には凹部３６が設けられ、磁気テープカートリッジ３０を磁気記録再生装置に装填していない状態において、上記凹部３６に上フランジ３４ａから延びる係合突起３８の一部（先端部）が収容されている。このとき、係合突起３８は、凹部３６に嵌め込まれていてもよいし、本実施形態のように凹部３６の内側面とその一部又は全部が当接しないようにわずかな隙間ができるように配置されていてもよい。
【００３５】
磁気テープカートリッジ３０は、リールロック状態において、リール３４がケース本体３１内でコイルばねＳ（図２及び図４参照）によって下方に付勢されることで、リール３４の回転軸方向の移動が規制されるとともに、上フランジ３４ａに一体成形された係合突起３８が上ケース３２の凹部３６に係合することによってリール３４の周方向の回動が規制される構成である。
【００３６】
また、リールロックを解除する場合には、例えば、使用者がリール３４を回動させて外凹部３６に係合する係合突起３８に意図的に所定の負荷以上の外部応力を負荷する。すると、係合突起３８に変形又は破断が生じることで凹部３６との係合が外れ、リール３４のロックが解除される。このように、本実施形態の磁気テープカートリッジ３０は、上フランジ３４ａに一体成形された係合突起３８が、ケース本体３１の凹部３６に収容されているといった簡単なリールロック機構である。
したがって、本実施形態の構成を有する磁気テープカートリッジ３０によれば、上記実施形態の磁気テープカートリッジ１０，２０と同様の効果を得ることができる。
また、係合突起３８は、リール３４に一体成形されているため、係合部として別の部材を取り付ける必要がないため、磁気テープカートリッジ３０の製造が容易である。
【００３７】
（第４の実施形態）
図６に、本発明にかかる第４の実施形態を示す。図６は、本実施形態の磁気テープカートリッジの要部断面図を示している。
図６に示すように、磁気テープカートリッジ４０は、リール４４の上フランジ４４ａの周端面からリール４４の径方向に突出するように設けられた係合突起４８を備えている。
【００３８】
ケース本体４１の上ケース４２内側において、上フランジ４４ａの周端面と対向する箇所には凹部４６が設けられている。凹部４６には、磁気テープカートリッジ４０を磁気記録再生装置に装填していない状態において、上記凹部４６に上フランジ４４ａから延びる係合突起４８の一部（先端部）が収容されている。このとき、係合突起４８は、凹部４６に嵌め込まれていてもよいし、本実施形態のように凹部４６の内側面とその一部又は全部が接しないようにわずかな隙間ができるように配置されていてもよい。
【００３９】
係合突起４８は、上フランジ４４ａに一体成形されている。また、係合突起４８は、外部応力を負荷することで上フランジ４４ａ側近傍において、折れ曲がる等の変形又は破断するように構成されている。ここで、係合突起４８における、上フランジ４４ａ側近傍を薄肉にすることで、より小さい外部応力によって変形又は破断するように構成してもよい。
【００４０】
つまり、磁気テープカートリッジ４０は、リールロック状態において、リール４４がケース本体４１内でコイルばねＳ（図２及び図４参照）によって下方に付勢されることで、リール４４の回転軸方向の移動が規制されるとともに、上フランジ４４ａに一体成形された係合突起４８が上ケース４２の凹部４６に係合することによってリール４４の周方向の回転が規制される。
【００４１】
また、リールロックを解除する場合には、例えば、使用者がリール４４の回動させ、凹部４６に係合する係合突起３８に意図的に所定の負荷以上の外部応力を加える。すると、係合突起４８に変形又は破断が生じることで凹部４６との係合が外れ、リール４４のロックが解除される。このように、本実施形態の磁気テープカートリッジ４０は、上フランジ４４ａに一体成形された係合突起４８が、ケース本体４１の凹部４６に収容されているといった簡単な構成である。
したがって、本実施形態の構成を有する磁気テープカートリッジ４０によれば、上記実施形態の磁気テープカートリッジ１０，２０及び３０と同様の効果を得ることができる。
【００４２】
なお、本発明は、前述した実施形態に限定されるものではなく、適宜な変形、改良などが可能である。
例えば、上記実施形態において、係合突起３８，４８はリールに一体成形される構成としたが、リールの所定箇所に係合突起を取り付けたり、または係合突起だけが他の材料となるように所謂２色成形により構成されていてもよい。
例えば、上記実施形態において、凹部３６，４６は、係合突起３８，４８を係合させることができれば他の形状としてもよく、ケース本体の外側まで連通する開孔であってもよい。
【図面の簡単な説明】
【００４３】
【図１】本発明にかかる磁気テープカートリッジの第１の実施形態を示す全体斜視図である。
【図２】図１の矢印Ａ方向に見た磁気テープカートリッジの断面図である。
【図３】本発明にかかる磁気テープカートリッジの第２の実施形態を示す全体斜視図である。
【図４】図３の矢印Ｂ方向に見た磁気テープカートリッジの断面図である。
【図５】本発明にかかる磁気テープカートリッジの第３の実施形態を示す要部断面図である。
【図６】本発明にかかる磁気テープカートリッジの第４の実施形態を示す要部断面図である。
【符号の説明】
【００４４】
１０，２０，３０，４０    磁気テープカートリッジ
１１，２１，３１，４１    ケース本体
１４，２４，３４，４４    リール
１７，２７                係合ピン
１９                      ホルダ
３８，４８                係合突起
Ｔ                        磁気テープ
【図１】
2005158109.tif 000003
【図２】
2005158109.tif 000004
【図３】
2005158109.tif 000005
【図４】
2005158109.tif 000006
【図５】
2005158109.tif 000007
【図６】
2005158109.tif 000008